(57)【要約】【課題】本発明は、より多くの通信端末に対して簡易な送信処理により所定のデータを送信することができ、また、あて先表の管理を容易に行うことができる、通信システムを提供する。【解決手段】本発明に係わる通信システム１００は、電気通信回線５を介して接続されており、各々があて先表１ａ，２ａ，ｎａを有する、少なくとも２以上の通信端末１，２，ｎを、備えている。さらに、一の通信端末１は、他の通信端末２，ｎが有するあて先表を利用して、所定のデータの送信処理を実施することができる。【選択図】図２
2007243748.tif 000002
【特許請求の範囲】
【請求項１】
電気通信回線を介して接続されており、各々があて先表を有する、少なくとも２以上の通信端末を、備えており、
一の前記通信端末は、
他の前記通信端末が有するあて先表を利用して、所定のデータの送信処理を実施することができる、
ことを特徴とする通信システム。
【請求項２】
前記一の通信端末は、
前記他の通信端末が有するあて先表または前記他の通信端末が有するあて先表に含まれている所定のあて先に関する情報を、ダウンロードすることが可能な記憶部を、備えている、
ことを特徴とする請求項１に記載の通信システム。
【請求項３】
前記一の通信端末は、
前記電気通信回線を介して、前記他の通信端末が有するあて先表に対して、所定のあて先の追加、変更、削除の操作を行うことができる、
ことを特徴とする請求項１または請求項２に記載の通信システム。
【請求項４】
前記他の通信端末は、
自己が有するあて先表の所定のあて先に対する、前記一の通信端末からのアクセスを不可能とする、あて先プロテクト機能を有している、
ことを特徴とする請求項３に記載の通信システム。
【発明の詳細な説明】
【技術分野】
【０００１】
本発明は、あて先表を有する少なくとも２以上の通信端末を構成要素として含む、通信システム技術に関する。
【背景技術】
【０００２】
ファクス等の画像形成通信装置（以下、単に通信端末と称する）が複数台存在する場合、従来、各通信端末毎においてあて先表が管理されていた。
【０００３】
したがって、一の通信端末から他の通信端末へ電話回線等を介して画像データ等を送受信する場合、ユーザは、まず当該一の通信端末が有するあて先表のみを参酌していた。そして、当該あて先表に含まれている所定のあて先（今の場合、他の通信端末のあて先）を選択し、当該選択したあて先へ画像データ等の送信を行っていた。
【０００４】
また、ユーザが、通信端末が有するあて先表に対して、所定のあて先の追加・変更・削除の操作を行う場合、ユーザは、各通信端末毎に、当該所定のあて先の追加等の処理を施していた。
【０００５】
なお、本発明に係わる技術と関連する先行文献として、たとえば特許文献１，２，３等が存在する。
【０００６】
【特許文献１】特開２００３−６９６９２号公報
【特許文献２】特開２００４−３２８４６７号公報
【特許文献３】特開２００５−２６０３２６号公報
【発明の開示】
【発明が解決しようとする課題】
【０００７】
しかし、上記のように、各通信端末毎においてあて先表が管理されていた場合には、各通信端末において管理できるあて先表のデータ量には限りがある。したがって、当該あて先表に組み込むことができるあて先数には限界があった。つまり、あて先表を用いた簡易な画像データの送信処理を行うことができる通信端末数には、限界があるという問題があった。つまり、自機が有するあて先表に希望のあて先表が無い場合が多く、希望のあて先のファクス番号を調べ、当該調べたファクス番号を直接通信端末に入力するという複雑な作業が、度々行われていた。
【０００８】
また、各通信端末毎においてあて先表が管理されていた場合には、各あて先表毎に、所定のあて先等の追加・変更・削除等の操作を行わなければならず、当該あて先表の管理が大変であるという問題もあった。
【０００９】
本発明は、上記課題に鑑みなされたものであり、より多くの通信端末に対して簡易な送信処理により所定のデータを送信することができ、また、あて先表の管理を容易に行うことができる、通信システムを提供することを目的とする。
【課題を解決するための手段】
【００１０】
上記の目的を達成するために、本発明に係る請求項１に記載の通信システムは、電気通信回線を介して接続されており、各々があて先表を有する、少なくとも２以上の通信端末を、備えており、一の前記通信端末は、他の前記通信端末が有するあて先表を利用して、所定のデータの送信処理を実施することができる。
【００１１】
また、請求項２に記載の通信システムは、請求項１に記載の通信システムであって、前記一の通信端末は、前記他の通信端末が有するあて先表または前記他の通信端末が有するあて先表に含まれている所定のあて先に関する情報を、ダウンロードすることが可能な記憶部を、備えている。
【００１２】
また、請求項３に記載の通信システムは、請求項１に記載の通信システムであって、前記一の通信端末は、前記電気通信回線を介して、前記他の通信端末が有するあて先表に対して、所定のあて先の追加、変更、削除の操作を行うことができる。
【００１３】
また、請求項４に記載の通信システムは、請求項１に記載の通信システムであって、前記他の通信端末は、自己が有するあて先表の所定のあて先に対する、前記一の通信端末からのアクセスを不可能とする、あて先プロテクト機能を有している。
【発明の効果】
【００１４】
本発明の請求項１に記載の通信システムは、電気通信回線を介して接続されており、各々があて先表を有する、少なくとも２以上の通信端末を、備えており、一の前記通信端末は、他の前記通信端末が有するあて先表を利用して、所定のデータの送信処理を実施することができる。したがって、希望のあて先が自機に無くとも他機において発見できるので、希望のあて先をわざわざ調べ、それを入力するという複雑な作業をより避けることができる。また、あて先表の分散管理により、たとえば全ての通信端末にあて先表の管理者を置き、同一のあて先表を全ての通信端末に設定する必要がなくなる。よって、通信端末に設定されるあて先表の管理が容易となる。
【００１５】
また、請求項２に記載の通信システムは、請求項１に記載の通信システムであって、前記一の通信端末は、前記他の通信端末が有するあて先表または前記他の通信端末が有するあて先表に含まれている所定のあて先に関する情報を、ダウンロードすることが可能な記憶部を、備えている。したがって、一の通信端末から他の通信端末への遠隔操作の場合よりも、当該一の通信端末において他の通信端末が有するあて先表内から希望のあて先を検索する方が、当該検索作業が容易・迅速に行うことができる。また、他の通信端末が有していたあて先表に含まれている希望のあて先に対してファクス送信を行う場合、迅速なファクス送信が可能となる。当該効果は、電気通信回線が電話回線等の低速な回線なときに、より顕著となる。また、一の通信端末が有する記憶部に、所定のあて先に関する情報のみを記憶させることにより、当該記憶部の容量の経済化を図ることができる。
【００１６】
また、請求項３に記載の通信システムは、請求項１に記載の通信システムであって、前記一の通信端末は、前記電気通信回線を介して、前記他の通信端末が有するあて先表に対して、所定のあて先の追加、変更、削除の操作を行うことができる。したがって、いずれかの通信端末から他の通信端末が有するあて先表の内容を変更できるので、全ての通信端末に対してあて先表の管理者を置く必要がなくなる。したがって、あて先表の管理が容易となる。また、他の通信端末が有する所定のあて先表に対して、迅速に変更処理を実施することができる。
【００１７】
また、請求項４に記載の通信システムは、請求項１に記載の通信システムであって、前記他の通信端末は、自己が有するあて先表の所定のあて先に対する、前記一の通信端末からのアクセスを不可能とする、あて先プロテクト機能を有している。したがって、他の通信端末が有するあて先表に含まれる所定のあて先に対する一の通信端末からのアクセス（変更、削除処理等も含む）を防止することができる。
【発明を実施するための最良の形態】
【００１８】
以下、本発明の好適な実施の形態について、添付の図面を参照しつつ、詳細に説明する。
【００１９】
図１は、本発明に係る通信システムの構成を示す図である。図１に示すように、本発明に係わる通信システム１００は、複数（少なくとも２以上）の通信端末１，２，ｎから構成されている。
【００２０】
ここで、本説明では、通信端末１，２，ｎはファクス等の画像形成通信装置であるとする。また、図１に示されているように、各通信端末１，２，ｎ間は、ＬＡＮ、ＷＡＮ、インターネットまたは電話回線等の電気通信回線５を介して、それぞれ接続されている。
【００２１】
また、各通信端末１，２，ｎは、書き換え可能な記憶部を有しており、当該記憶部には、図１に示すように、少なくとも自機が有するあて先表１ａ，２ａ，ｎａが記憶されている。たとえば、通信端末１はあて先表１ａを有しており、通信端末ｎはあて先表ｎａを有している。また、一の通信端末が有する記憶部には、他機（他の通信端末と把握できる）が有するあて先表（または、当該あて先表に含まれる所定のあて先における、当該所定のあて先に関する情報）をダウンロード（記憶）することが可能である。ここで、各通信端末が有するあて先表の内容は、基本的には各々異なる。
【００２２】
本発明に係わる通信システムでは、一の通信端末が自機が有するあて先表のみならず、他の通信端末が有するあて先表をも利用して、画像データ等の所定のデータの送信処理を実施することができる。
【００２３】
以下、図２に示すフローチャートを用いて、本発明に係わる通信システムの動作について説明する。なお当該説明では、一の通信端末１を利用してユーザが、所望の通信端末へ所定の画像データを送信する場合の手順について説明する。
【００２４】
まず、一の通信端末１は、電気通信回線５に接続されている他の通信端末２，ｎが存在するか否かを判断する（ステップＳ１）。たとえば、一の通信端末１と同機種の他の通信端末２，ｎが電気通信回線５を介して存在するか否かを、一の通信端末１は判断する（ステップＳ１）。
【００２５】
もし、一の通信端末１が、他の通信端末が存在しないと判断した場合には（ステップＳ１で「Ｎ」）、当該一の通信端末１が有するあて先表のみを用いて、ユーザは所望の通信端末へ画像データを送信（ファクス送信）する（ステップＳ２）。
【００２６】
ここで、一の通信端末１が有するあて先表に所望の通信端末のあて先が含まれていない場合には、一の通信端末に対して操作を行うことにより、所望の通信端末に対してファクス送信を行う。この際、一の通信端末１が有するあて先表に、当該所望の通信端末のあて先を追加する処理を、ユーザは行っても良い。
【００２７】
これに対して、一の通信端末１が、他の通信端末２，ｎが存在すると判断した場合には（ステップＳ１で「Ｙ」）、図３に示すように、当該一の通信端末１が有する表示部１ｓに、自機が有するあて先表Ｐ１および、他の通信端末２，ｎが存在することを示すアイコンＰ２を表示する（ステップＳ３）。
【００２８】
ステップＳ３後、一の通信端末１のユーザは、他の通信端末２，ｎが存在することを示すアイコンＰ２が存在するか否かを判断する（ステップＳ４）。
【００２９】
ここで、一の通信端末１の表示部１ｓに表示される内容として、他の通信端末２，ｎが存在することを個別に示すアイコンＰ２でなくても良い。たとえば、当該表示部１ｓに、電気通信回線５を介して接続されている他の通信端末２，ｎを全て表示させるようにしても良い。
【００３０】
今の場合、他の通信端末２，ｎが電気通信回線５を介して接続されている。よって今の場合、他の通信端末２，ｎが存在することを示すアイコンＰ２が表示されるので（ステップＳ４で「Ｙ」）、ユーザは一の通信端末１を操作する。当該操作により、当該一の通信端末１は、他の通信端末２，ｎが有する一のあて先表を、当該一の通信端末１が有する記憶部へダウンロードする（ステップＳ５）。
【００３１】
なお、上記において、一の通信端末１の表示部１ｓに、電気通信回線５を介して接続されている他の通信端末２，ｎを全て表示させた場合には、いずれかの他の通信端末２，ｎをユーザが選択する。すると、当該選択された他の通信端末が有する一のあて先表が、当該一の通信端末１が有する記憶部へダウンロードされる。
【００３２】
上記ダウンロードの過程はより具体的には、一の通信端末１は他の通信端末２，ｎに対して、当該他の通信端末２，ｎが有するあて先表を一の通信端末１へ伝送する旨の要求を行う。当該要求を受信した他の通信端末２，ｎは、当該他の通信端末２，ｎが有するあて先表を一の通信端末１へ伝送する。当該あて先表の伝送を受けた一の通信端末１では、当該受信したあて先表を、たとえば一時的に一の通信端末１が有する記憶部に記憶（ダウンロード）する。
【００３３】
他の通信端末２，ｎのあて先表を記憶部にダウンロードした一の通信端末１は、当該ダウンロードしたあて先表を、一の通信端末１が有する表示部１ｓに表示させる（ステップＳ５）。
【００３４】
ステップＳ５後、ステップＳ４へと戻る。そして、一の通信端末１の表示部１ｓに、他の通信端末２，ｎが存在することを示すアイコンＰ２が表示されなくなるまで（つまり、電気通信回線５を介して接続されている全ての他の通信端末２，ｎが有する各あて先表をダウンロードし終わるまで）、ステップＳ４，Ｓ５の処理を繰り返す。
【００３５】
その後、ステップＳ４において、他の通信端末２，ｎが存在することを示すアイコンＰ２が表示されなくなった場合には（ステップＳ４で「Ｎ」）、一の通信端末１の表示部１ｓにたとえば図４に示すような、あて先表一覧ＡＰが表示される。当該図４に示すあて先表一覧ＡＰが表示されると、ユーザは、希望のあて先（つまり、所望の通信端末のあて先、以下希望のあて先と称する）を検索する（ステップＳ６）。
【００３６】
たとえば、ユーザは、図４のあて先表一覧ＡＰにおいて、「自機あて先表」が表示されている部分の表示部１ｓに触れる。すると、「自機のあて先表」に含まれている複数のあて先が、一の通信端末１の表示部１ｓに表示される。もし、当該「自機のあて先表」に希望のあて先が含まれていない場合には、ユーザは再度、図４に示したあて先表一覧ＡＰを一の通信端末１の表示部１ｓに表示される。
【００３７】
そして、ユーザは、図４のあて先表一覧ＡＰにおいて、いずれかの「他機あて先表」が表示されている部分の表示部１ｓに触れる。すると、所定の「他機のあて先表」に含まれている複数のあて先が、一の通信端末１の表示部１ｓに表示される。そして、当該所定の「他機のあて先表」に希望のあて先が含まれているかいないかを検索する。以降、希望のあて先が見つかるまで、上記一例した動作を繰り返す。
【００３８】
上記希望のあて先の検索の結果、ユーザが所定のあて先表内において希望のあて先を発見できた場合には（ステップＳ６で「Ｙ」）、ユーザは、当該希望のあて先に対して、所定の画像データ等を送信するファクス送信を実施する（ステップＳ７）。
【００３９】
これに対して、上記希望のあて先の検索の結果、ユーザがいずれのあて先表内において希望のあて先を発見できなかった場合には（ステップＳ６で「Ｎ」）、ユーザは、一の通信端末１を操作することにより、当該希望のあて先を自機および／または他機に対して追加設定できるか、つまりあて先表の編集が可能かを判断する（ステップＳ８）。
【００４０】
もし、一の通信端末１を操作することにより、あて先表の編集が可能であると判断した場合には（ステップＳ８で「Ｙ」）、自機および／または他機が有するあて先表に対して、希望のあて先を追加する（ステップＳ９）。そして、ユーザは、当該希望のあて先に対して、所定の画像データ等を送信するファクス送信を実施する（ステップＳ７）。
【００４１】
これに対して、一の通信端末１を操作することにより、あて先表の編集が不可能であると判断した場合には（ステップＳ８で「Ｎ」）、ユーザは、当該希望のあて先に対して、所定の画像データ等を送信するファクス送信を断念する。もしくは、希望のあて先を調べ、一の通信端末１に対して当該希望のあて先を直接入力して、所定の画像データ等を送信するファクス送信を実施する。
【００４２】
以上のように、本発明に係わる通信システムでは、一の通信端末１は、他の通信端末２，ｎが有するあて先表を利用して、画像データ等の所定のデータの送信処理を実施することができる。
【００４３】
したがって、全てのあて先を各通信端末で設定しておく必要がなくなる（つまり、あて先表の分散管理が可能）。よって、自機もしくは他機が有するあて先表を用いた簡易な画像データの送信処理を行うことができる。つまり、希望のあて先が自機に無くとも他機において発見できるので、希望のあて先をわざわざ調べ、それを入力するという複雑な作業をより避けることができる。
【００４４】
また、上記あて先表の分散管理により、たとえば全ての通信端末にあて先表の管理者を置き、同一のあて先表を全ての通信端末に設定する必要がなくなる。よって、通信端末に設定されるあて先表の管理が容易となる。
【００４５】
また、上記と異なるが、一の通信端末１の記憶部に他の通信端末２，ｎが有するあて先表をダウンロードさせず、一の通信端末１からの遠隔操作により、他の通信端末２，ｎが有するあて先表を利用して、希望のあて先に対してファクス送信を行っても良い。
【００４６】
しかし、上述したように本発明に係わる通信システムでは、一の通信端末１は、他の通信端末２，ｎが有するあて先表をダウンロードすることが可能な記憶部を、備える形態も採用可能である。
【００４７】
当該形態を採用した場合には、一の通信端末１から他の通信端末２，ｎへの遠隔操作の場合よりも、当該一の通信端末１において他の通信端末２，ｎが有するあて先表内から希望のあて先を検索する方が、当該検索作業が容易・迅速に行うことができる。また、他の通信端末２，ｎが有していたあて先表に含まれている希望のあて先に対してファクス送信を行う場合、迅速なファクス送信が可能となる。当該効果は、電気通信回線５が電話回線等の低速な回線なときに、より顕著となる。
【００４８】
なお、上記説明では、ステップＳ８のタイミングで、一の通信端末１を操作することにより、あて先表の編集が可能であるか否かを判断し、自機および／または他機が有するあて先表に対して、希望のあて先を追加する（ステップＳ９）動作について説明した。
【００４９】
しかし、自機および／または他機が有するあて先表に対して、希望のあて先を追加する処理は、いずれのタイミングで行っても良く、また図２に示す動作外において当該希望のあて先を追加する処理を行っても良い。
【００５０】
さらに、希望のあて先を追加するだけでなく、一の通信端末１を操作することにより、自機および／または他機が有するあて先表に含まれる所定のあて先を削除することも可能であり、また当該所定のあて先の内容に対して変更処理を施すことも可能である。
【００５１】
以上のように、本発明に係わる通信システムでは、一の通信端末１は、電気通信回線５を介して、他の通信端末２，ｎが有するあて先表に対して、所定のあて先の追加、変更、削除の操作を行うことができる。
【００５２】
したがって、いずれかの通信端末から他の通信端末２，ｎ（全ての他の通信端末２，ｎもしくは、いずれかの所定の他の通信端末２，ｎ）が有するあて先表の内容を変更できるので、全ての通信端末に対してあて先表の管理者を置く必要がなくなる。したがって、あて先表の管理が容易となる。また、迅速に所定のあて先表に対して改変処理を実施することができる。
【００５３】
なお、他の通信端末２，ｎによっては、一の通信端末１からのアクセスを希望しないあて先が、他の通信端末２，ｎが有するあて先表に含まれている場合がある。また、他の通信端末２，ｎによっては、あて先表において改変されたくないあて先等が存在する場合もある。
【００５４】
その場合には、他の通信端末２，ｎは、当該他の通信端末２，ｎが有するあて先表の所定のあて先（改変されたくあて先）に対する、一の通信端末１からのアクセス（単なるアクセスの他、あて先の変更、削除等も含む）を不可能とする、あて先プロテクト機能を有していても良い。
【００５５】
このように、他の通信端末２，ｎが当該あて先プロテクト機能を有することにより、当該他の通信端末２，ｎが有するあて先表に含まれる所定のあて先に対する一の通信端末１からのアクセス（たとえば変更、削除処理等）を防止することができる。
【００５６】
なお、上記において、一の通信端末１が有する記憶部に他の通信端末２，ｎが有するあて先表をダウンロードする方法（図２のステップＳ４，Ｓ５）は、一例である。たとえば、一の通信端末１が有する記憶部に他の通信端末２，ｎが有するあて先表をダウンロードする方法として、以下の方法を採用しても良い。
【００５７】
たとえば、一の通信端末１の表示部１ｓにおいて他の通信端末２，ｎが存在することを示すアイコンＰ２が表示されている場合には、当該アイコンＰ２に触れる等の操作することにより、電気通信回線５に接続されている全ての他の通信端末２，ｎが有する各あて先表を、一の通信端末１が有する記憶部に一括でダウンロードする方法を採用しても良い。
【００５８】
また、ファクス送信作業中の一の通信端末１が、電気通信回線５に接続されている他の通信端末２，ｎが存在していると判断した場合には、当該一の通信端末１が、自動的に所定のタイミングで、全ての他の通信端末２，ｎが有する各あて先表を、一の津新端末１が有する記憶部に一括でダウンロードしても良い。
【００５９】
また、ユーザが所定のあて先表において希望のあて先が含まれているか否かを一度確認し、当該ユーザが希望のあて先が含まれていないと判断した場合には、ユーザが一の通信端末１を操作することにより、別のあて先表を当該一の通信端末１が有する記憶部にダウンロードする（当該手順を繰り返す）という手法を採用しても良い。より具体的には次のようになる。
【００６０】
一の通信端末１が有するあて先表１ａにおいて希望のあて先が含まれていない場合に、ユーザは当該一の通信端末１を操作することにより、他の第一通信端末が有する他の第一あて先表を当該一の通信端末１が有する記憶部にダウンロードする。
【００６１】
そして、ユーザが当該ダウンロードした他の第一あて先表において、希望のあて先が含まれているか否かを確認する。そして、当該他の第一あて先表においても希望のあて先が含まれていない場合には、ユーザは当該一の通信端末１を操作することにより、さらに他の第二通信端末が有する他の第二あて先表を当該一の通信端末１が有する記憶部にダウンロードする。
【００６２】
そして、ユーザが当該ダウンロードした他の第二あて先表において、希望のあて先が含まれているか否かを再度確認する。以後、希望のあて先が確認されるまで、またはいずれのあて先表においても希望のあて先が存在し無いことを確認できるまで等、ユーザは当該手順を繰り返す。
【００６３】
また、所定のタイミング（たとえば、１時間間隔またはいずれかのあて先表が改変された時機）で、電気通信回線５を介して接続されている全ての他の通信端末２，ｎが有する各あて先表、または所定の他の通信端末２，ｎが有する所定のあて先表（たとえば改変されたあて先表）を、一の通信端末１が自己が有する記憶部にダウンロードする手法を採用しても良い。この場合、一の通信端末１が有する記憶部には、常に最後にダウンロードされた他の通信端末２，ｎが有するあて先表、および自機が有するあて先表が記憶されることになる。
【００６４】
なお、上記では、あて先表を一の通信端末１が有する記憶部にダウンロードさせる形態について言及した。しかし、以下の形態を採用しても良い。
【００６５】
つまり、他の通信端末２，ｎが有するあて先表の内容を遠隔より、一の通信端末１の表示部１ｓにおいて参照する。そして、ユーザが他の通信端末２，ｎが有するあて先表において、希望のあて先を発見したとする。当該場合には、ユーザは一の通信端末１を操作することにより、他の通信端末２，ｎが有するあて先表に含まれている上記希望のあて先に関する情報を、当該一の通信端末１に伝送させるような命令を当該他の通信端末２，ｎに送信する。
【００６６】
当該命令を受信した他の通信端末２，ｎは、たとえばｖｃａｄ形式やｃｓｖ形式などで上記希望のあて先に関する情報のみを、一の通信端末１へ伝送する。そして、上記希望のあて先に関する情報のみを受信した一の通信端末１は、当該一の通信端末１が有する記憶部に、当該受信した情報を一時的に記憶させる。そして、当該一の通信端末１から、当該希望のあて先へ、所定の画像データ等を送信する。当該形態を採用しても良い。
【００６７】
なお、一時的に記憶部に記憶された上記希望のあて先に関する情報は、いずれかのタイミングで削除しても良く、また自己のあて先表の一部として継続的に保存しても良い。
【００６８】
このように、一の通信端末１が有する記憶部に、上記希望のあて先に関する情報のみを記憶させることにより、当該記憶部の容量の経済化を図ることができる。
【図面の簡単な説明】
【００６９】
【図１】本発明に係わる通信システムの構成を示す図である。
【図２】本発明に係わる通信システムの動作を説明するためのフローチャートである。
【図３】一の通信端末において表示部において表示される内容の一例を示す図である。
【図４】一の通信端末において表示部において表示される内容の一例を示す図である。
【符号の説明】
【００７０】
１，２，ｎ  通信端末
１ａ，２ａ，ｎａ  あて先表
１ｓ  表示部
Ｐ１  あて先
ＡＰ  あて先表一覧
１００  通信システム
【図１】
2007243748.tif 000003
【図２】
2007243748.tif 000004
【図３】
2007243748.tif 000005
【図４】
2007243748.tif 000006